(57)【要約】【課題】各種物品を支持する架台用支柱において地際部の防食性能を高めること。【解決手段】鋼管からなる支柱10の地際部に合成樹脂製の防錆又は防食膜12を施す。この防食膜12の外周に周方向に弾性を有する硬質の合成樹脂製筒状体15を更に巻回する。この筒状体15はその長手方向に１つの切断面16を有し、当該切断面16の一方の切断縁部16aが他方の切断縁部16bを被覆するように巻回される。支柱10の先端部には設置土地面を掘削する掘削刃を設ける。支柱先端部に設けた掘削刃の掘削回転方向の前方側に位置する切断縁部16aを他方の切断縁部16bの内側に配置する。筒状体15を接着材を用いて支柱10に接着してもよい。筒状体15の切断面16のそれぞれの切断縁部16a, 16bがそれぞれの側縁に向かってその厚みを徐々に薄くなるように形成した。【選択図】図１
2014156736.tif 000002
【特許請求の範囲】
【請求項１】
各種物品を支持する架台の支柱であって、かかる支柱の地際部に合成樹脂製の被膜又は塗装膜から成る防錆又は防食膜が施された金属製管体から成る支柱において、
かかる防錆又は防食膜の外周に、長手方向に１つの切断面を有し、周方向に弾性を有する硬質の合成樹脂製筒状体を巻回したことを特徴とする防錆防食支柱。
【請求項２】
前記筒状体の切断面において、一方の切断縁部が他方の切断縁部を被覆するように巻回されていることを特徴とする請求項１に記載の防錆防食支柱。
【請求項３】
前記支柱の先端部に、設置土地面を掘削する掘削刃が設けられていることを特徴とする請求項１又は２に記載の防錆防食支柱。
【請求項４】
前記筒状体において、支柱先端部に設けた掘削刃の掘削回転方向の前方側に位置する切断縁部が他方の切断縁部の内側に配置されていることを特徴とする請求項３に記載の防錆防食支柱。
【請求項５】
前記筒状体を接着材及び防食材を用いて支柱に接合したことを特徴とする請求項１乃至４の何れか１項に記載の防錆防食支柱。
【請求項６】
前記筒状体の切断面のそれぞれの切断縁部において、それぞれの切断縁に向かってその厚みが徐々に薄くなるように形成したことを特徴とする請求項２乃至５の何れか１項に記載の防錆防食支柱。
【請求項７】
地際部に合成樹脂製の被膜又は塗装膜から成る防錆又は防食膜が施された金属製管体からなる各種物品を支持する架台用支柱の前記防錆又は防食膜の外周に巻回するように装着される筒状体であって、
かかる筒状体は、その長手方向に１つの切断面を有し、且つ、周方向に弾性を有する硬質の合成樹脂製のものからなることを特徴とする防錆防食筒状体。
【請求項８】
前記筒状体の切断面の一方の切断縁部が他方の切断縁部を被覆するように支柱に装着され得ることを特徴とする請求項７に記載の防錆防食筒状体。
【請求項９】
前記筒状体の切断面のそれぞれの切断縁部において、それぞれの切断縁に向かってその厚みが徐々に薄くなるように形成したことを特徴とする請求項８に記載の防錆防食筒状体。
【請求項１０】
前記筒状体の内面に防食材及び／又は滑り止め部材を更に接合したことを特徴とする請求項７乃至９の何れか１項に記載の防錆防食筒状体。
【発明の詳細な説明】
【技術分野】
【０００１】
本発明は、例えばソーラーパネル等を載置し支持するための架台用の支柱に関し、より詳しくはその地際部に防錆及び防食（防腐食）手段を施した支柱及び当該支柱に装着できる防錆及び防食（防腐食）部材に関するものである。
【背景技術】
【０００２】
従来より、鋼製型材や管体を用いた各種の構築物や架台において使用する鋼管製支柱にあっては、設置される地面の地際部の錆や腐食が問題となっていた。
ここでいう「地際部」というのは、設置される地面の際ばかりでなく、その地上部分及び地中部分の所定範囲の部分をも意味するものである。
【０００３】
かかる地際部は、雨や霧等の天候による影響ばかりでなく、ペットのマーキングによる影響、更には地中の水分や土質等による悪影響が最も強く及ぶ部分である。
より詳しくは、この地際部の腐食としては、以下のような要因が挙げられる。
先ず、この部分には水が溜まり易く、水に濡れている時間が長くなる。
設置場所の土壌により、つまりアルカリ性土壌又は酸性土壌等により腐食が促進される。
風や振動によって金属の化学的活性化が生じ、つまり腐食疲労を起こし易い。
土中と地上面の露出部との間の電位差が大きくなり、構造的にマイクロセル腐食が形成される。
【０００４】
以上により地際部に錆や腐食が発生し易くなるのであるが、このような鋼管製支柱の地際部に対して防錆及び防食手段が設けられたものが種々提案されている。
下記特許文献１に記載の「埋設地際部の腐食防御性を有する鋼製柱」の発明にあっては、犬等によるマーキングが行われたとしても、埋設地際部の腐食防御性に優れた鋼製柱を提供することを課題とし、鋼製柱と埋設用充填材が接する界面上端部の大気側及び充填材側の少なくとも５０ｍｍの鋼製柱外側部分に、アンモニウムイオンを含む水溶液に対する耐久性に優れた耐食材からなる被覆層を設けた鋼製柱である。
【０００５】
下記特許文献２に記載の「地際埋設物防錆保護工法」の発明にあっては、ガードレール等の支柱の地際部の錆を有効に防止できる地際埋設物防錆保護工法を提供するものであって、その構成は、ガードレール等の支柱をアスファルト、モルタル又はコンクリート中に埋設し支持する工法であって、支柱の地際部に熱収縮チューブを被覆したのち、該熱収縮チューブを加熱収縮させ、その上端部を前記アスファルト、モルタル又はコンクリートの面よりも高く露出させていることを特徴とする。
【０００６】
下記特許文献３に記載の「防食鋼管」の発明にあっては、地際部で確実に防食効果を得ることができるものを提供することを課題とする。
その構成は、鋼管と鋼よりもイオン化傾向の大きな金属からなる陽極金属層とを備え、鋼管と陽極金属層とを電気的に導通し、導電性ポリマーを含む塗料からなる塗膜層と、塗膜層上の地際部となる部分に装着された陽極金属層とを備える。陽極金属層は、亜鉛箔、アルミニウム箔、マグネシウム箔、亜鉛−アルミニウム合金箔からなる群から選択される１種の金属箔からなる。金属箔は、導電性粘着剤層を介して塗膜層上に装着されていてもよく、金属箔が塗膜層に直接接触する部分を残して形成された非導電性粘着剤層を介して塗膜層上に装着されていてもよいものである。
【先行技術文献】
【特許文献】
【０００７】
【特許文献１】特開２００６−１３２１２８号公報
【特許文献２】特開２００７−３２１３８１号公報
【特許文献３】特開２００８−２３１５０８号公報
【発明の概要】
【発明が解決しようとする課題】
【０００８】
本発明においても、上記従来の防錆及び防食性支柱と同様に、各種の構築物及び架台の支柱の地際部の防錆及び防食性能を付与することをその目的とするものであり、そしてその性能をより向上させることをその課題とするものである。
【課題を解決するための手段】
【０００９】
上記課題を解決するために、本発明の第１のものは、各種物品を支持する架台の支柱であって、かかる支柱の地際部に合成樹脂製の被膜又は塗装膜から成る防錆又は防食膜が施された金属製管体から成る支柱において、かかる防錆又は防食膜の外周に、長手方向に１つの切断面を有し、周方向に弾性を有する硬質の合成樹脂製筒状体を巻回したことを特徴とする防錆防食支柱である。
【００１０】
本発明の第２のものは、上記第１の発明において、前記筒状体の切断面において、一方の切断縁部が他方の切断縁部を被覆するように巻回されていることを特徴とする防錆防食支柱である。
【００１１】
本発明の第３のものは、上記第１又は第２の発明において、前記支柱の先端部に、設置土地面を掘削する掘削刃が設けられていることを特徴とする防錆防食支柱である。
【００１２】
本発明の第４のものは、上記第３の発明において、前記筒状体において、支柱先端部に設けた掘削刃の掘削回転方向の前方側に位置する切断縁部が他方の切断縁部の内側に配置されていることを特徴とする防錆防食支柱である。
【００１３】
本発明の第５のものは、上記何れかの発明において、前記筒状体を接着材及び防食材を用いて支柱に接合したことを特徴とする防錆防食支柱である。
【００１４】
本発明の第６のものは、上記第２乃至第５の何れかの発明において、前記筒状体の切断面のそれぞれの切断縁部において、それぞれの切断縁に向かってその厚みが徐々に薄くなるように形成したことを特徴とする防錆防食支柱である。
【００１５】
本発明の第７のものは、地際部に合成樹脂製の被膜又は塗装膜から成る防錆又は防食膜が施された金属製管体からなる各種物品を支持する架台用支柱の前記防錆又は防食膜の外周に巻回するように装着される筒状体であって、かかる筒状体は、その長手方向に１つの切断面を有し、且つ、周方向に弾性を有する硬質の合成樹脂製のものからなることを特徴とする防錆防食筒状体である。
【００１６】
本発明の第８のものは、上記第７の発明において、前記筒状体の切断面の一方の切断縁部が他方の切断縁部を被覆するように支柱に装着され得ることを特徴とする防錆防食筒状体である。
【００１７】
本発明の第９のものは、上記第８の発明において、前記筒状体の切断面のそれぞれの切断縁部において、それぞれの切断縁に向かってその厚みが徐々に薄くなるように形成したことを特徴とする防錆防食筒状体である。
【００１８】
本発明の第１０のものは、上記第７乃至第９の何れかの発明において、前記筒状体の内面に防食材及び／又は滑り止め部材を更に接合したことを特徴とする防錆防食筒状体である。
【発明の効果】
【００１９】
本発明の第１のものにおいては、架台の金属製管体からなる支柱であって、かかる支柱の地際部に合成樹脂製の被膜又は塗装膜から成る防錆又は防食膜が施された支柱において、かかる防錆又は防食膜の外周に、長手方向に１つの切断面を有し、周方向に弾性を有する硬質の合成樹脂製筒状体を更に巻回したものである。
この筒状体を付加したことにより、防錆及び防食効果が更に増大し、向上することとなるのである。
【００２０】
また、この筒状体は、支柱と別体に形成されるものであり、予め支柱に装着しておくこともできるし、施工中の任意の時に取り付け固定することもできる。
これは、筒状体が１つの切断面を有しているからであり、これにより任意のときに、即ち工場内で或いは施工現場にて着脱可能となるのである。
【００２１】
本発明の第２のものにあっては、前記筒状体の切断面において、一方の切断縁部が他方の切断縁部を被覆するように巻回されていることを特徴とするものである。
これにより、上記第１の発明と同じ効果を有するばかりでなく、この筒状体は、その長手方向に１つの切断面を有し、当該切断面の一方の切断縁部が他方の切断縁部を被覆できるように巻回でき、支柱への装着が極めて簡単なものとなる。
即ち、その支柱への取付位置の調整、支柱の太さへの対応も極めて容易となり、施工作業の簡素化及び容易化に寄与するものとなる。
【００２２】
本発明の第３のものにおいては、支柱の先端部に設置土地面を掘削する掘削刃を設けたため、予め支柱を設置するための穴部を掘削する必要がなく、かかる支柱を用いて設置現場で、そのまま掘削を行いつつ支柱を立設することが可能となる。
【００２３】
本発明の第４のものにおいては、支柱の掘削回転方向に合致するように、支柱先端部に設けた掘削刃の掘削回転方向の前方側に位置する切断縁部を他方の切断縁部の内側に配置したことを特徴とするものである。
これにより、筒状体の他方の切断縁部の切断縁が回転切削方向と干渉することなく、摩擦抵抗を減少させ、問題なく掘削しつつ支柱を立設することができる。
【００２４】
本発明の第５のものにおいては、前記筒状体を接着材及び防食材を用いて支柱に接合したことを特徴とするものである。
この接着材及び防食材による接合は任意のものではあるが、この接着材等を用いて接着することにより筒状体と支柱との接合がより強固となり、両者の間に侵入しうる水分や塵埃等を考慮すれば、より防錆・防食効果を向上させることができることとなる。
【００２５】
本発明の第６のものにおいては、前記筒状体の切断面のそれぞれの切断縁部がそれぞれの切断縁に向かってその厚みを徐々に薄くなるように形成したことを特徴とするものであり、その結果、この筒状体を支柱に巻回した際に、重ね合わされた切断縁部の部分の厚みを他の部分の厚みとほぼ同等とすることができ、支柱の先端の掘削刃を用いて掘削する際など、支柱を立設する際に都合のよいものとなるのである。
【００２６】
本発明の第７のものにおいては、上記第１の発明において使用する合成樹脂製の筒状体を特定し、権利請求したものであり、各種物品を支持する架台の支柱の地際部に巻回するように装着でき、この筒状体を装着することにより、当該架台用支柱の地際部の防錆及び防食効果をより向上させることができるものである。
また、この筒状体は単体のものとして支柱と別体のものとして形成されているために、架台の支柱に適宜、所望の時に装着することが可能となるものである。
【００２７】
本発明の第８のものにおいては、上記第７の発明の効果に加えて、この筒状体がその長手方向に１つの切断面を有し、当該切断面の一方の切断縁部が他方の切断縁部を被覆できるように巻回できるため、支柱への装着が極めて簡単なものとなり、その支柱への取付位置の調整、支柱の太さへの対応も極めて容易となり、施工作業の簡素化及び容易化に寄与するものである。
【００２８】
本発明の第９のものにおいては、筒状体の切断面のそれぞれの切断縁部において、それぞれの切断縁に向かってその厚みが徐々に薄くなるように形成しているため、この筒状体の切断面での接合状態をより適切なものとすることができ、切断面での両切断縁部の重ね合わせ部分においてその厚みを薄くすることができ、その全体の外径をほぼ同一にすることができる。
【００２９】
本発明の第１０のものにおいては、筒状体の内面に防食材及び／又は滑り止め部材を接合したことを特徴とし、これにより防食効果を向上させるだけでなく、当該筒状体を支柱の地際部に装着する際に、支柱の長手方向にこの筒状体が滑動したり、移動してしまうことを防止することもできるのである。
【図面の簡単な説明】
【００３０】
【図１】本発明の架台用支柱の一実施形態に係る地際部を図示する説明図であって、その（イ）が支柱に防食皮膜を設けた状態を示し、その（ロ）が更に防食用の筒状体を付加した状態を示している。
【図２】本発明に係る防錆防食筒状体の他の実施形態を図示する説明図であって、その（Ａ）が長手方向切断面が重合していないものを示し、その（Ｂ）が長手方向切断面が重ね合わされているものを示している。
【発明を実施するための形態】
【００３１】
以下、添付の図面と共に本発明の実施形態について説明する。
図１は、本発明の架台用支柱の一実施形態に係る地際部を図示する説明図であって、その（イ）が支柱に防食皮膜を設けた状態を示し、その（ロ）が更に防食用の筒状体を付加した状態を示している。
本発明に係る支柱１０は、例えば溶融亜鉛メッキ等が施された鋼製管体から成り、図示は省略しているが、先端部には掘削用の掘削刃が設けられたものである。
【００３２】
かかる支柱１０の地際部に、合成樹脂製の熱収縮チューブからなる防食皮膜１２を設けている。
図中Ｇは、設置土地面のグランドレベルを示している。
上記合成樹脂製熱収縮チューブを支柱１０に挿通し、外部から熱風を噴射して収縮させ、図１（イ）の状態に固着する。
固着位置は、予め設定された地際部であり、上記グランドレベルＧの上下２０ｃｍ乃至３０ｃｍ程度の範囲である。
【００３３】
図１（ロ）においては、更に、上記防食皮膜１２の外周に、やはり硬質の合成樹脂製の筒状体１５を巻回して装着している。
この筒状体１５が、本発明に係る防錆防食筒状体となる。
この筒状体１５は、周方向に弾性を有しており、図（ロ）に図示した通り、装着した状態で支柱１０に固定された状態を維持することができるものである。
【００３４】
かかる筒状体１５は、適宜所定の厚みを有し、その長手方向に切断面１６を有し、この切断面１６で、一方の切断縁部１６ａが他方の切断縁部１６ｂを内側に位置するように接合されている。
即ち、一方の切断縁部１６ａは、その厚みがその先端縁に向かって徐々に薄くなるように形成され、同様に他方の切断縁部１６ｂもその厚みがその先端縁に向かって徐々に薄くなるように形成され、一方の切断縁部１６ａが他方の切断縁部１６ｂの外側に配置されているのである。
【００３５】
従って、これにより筒状体１５の厚みは、切断面１６を含んでその全体で略同一の厚みとなるように形成している。
このように筒状体１５の全体を略同一の厚みとすることにより、本発明に係る支柱１０の先端部の掘削刃を用いて設置土地面を掘削し立設する際に、便宜なものとなる。
【００３６】
同様に、筒状体１５の切断面１６における両側の切断縁部１６ａ、１６ｂの重ね合わせにおいて、支柱１０の先端部に設けた掘削刃の掘削回転方向の前方側に位置する切断縁部１６ｂを一方の切断縁部１６ａの内側に配置することにより、当該切断縁部１６ａの切断縁が支柱１０の回転に際して邪魔にならないように構成している。
【００３７】
尚、図（ロ）においては、筒状体１５の切断面１６において、一方の切断縁部１６ａの側縁が筒状体１５の周側面とほぼ同一面となっているが、多少外周に出っ張った状態であっても問題はない。
というのも、この切断縁部１６ａの側縁は、上記した通り、支柱１０の掘削回転方向と抵触しないからである。
【００３８】
尚、上記筒状体１５は、ＦＲＰやウレタン、ＬＰ管（塩ビ管）等々、防食性能を有するものであれば、どのような素材のものをも使用することができる。
また、この筒状体１５の長手方向長さは、防食膜１２の長手方向長さよりも短いものとすることが好ましい。
防食膜１２と筒状体１５との間に隙間を生じさせないためである。
【００３９】
図２は、本発明に係る防錆防食筒状体の他の実施形態を図示する説明図であって、その（Ａ）が長手方向切断面が重合していないものを示し、その（Ｂ）が長手方向切断面が重ね合わされているものを示している。
図２（Ａ）に図示した筒状体２５においては、上記筒状体１５と異なり、その切断面２６において、それぞれの切断縁部２６ａ、２６ｂが当接しており、重ね合わされていないのである。
【００４０】
この実施形態に係る筒状体２６にあっては、支柱１０の外径が予め判明している場合に使用するものである。
この筒状体２６の内表面には、防食材２７を更に接合しており、或いは防食材２７と共に滑り止め部材を接合するのも自由である。
この防食材２７としては、例えばブチルゴムやＥＰＤＭ等を利用することができる。
【００４１】
図２（Ｂ）に図示した筒状体３５においては、上記図１の実施形態と異なり、その切断面が接しておらず、それぞれの切断縁部３６ａ、３６ｂが重ね合わされた状態（オーバーラップ状態）に形成されたものである。
そして、一方の切断縁部３６ａは、支柱１０の回転方向の前方側に位置し、他方の切削縁部３６ｂの内側に位置するために、支柱１０が回転する際に、他方の切断縁部３６ｂが干渉又は抵触しないように構成している。
【００４２】
更に、上記同様に、筒状体３５の内表面には、防食材２７が接合されており、この防食材２７と共に滑り止め部材を更に接合するのも自由である。
この実施形態に係る筒状体３５おいては、支柱１０の外径が異なるものであっても適宜装着し、固定することができ、異なる外径の支柱１０に対応することができ、取り付けの自由度が広がるのである。
【００４３】
以上、本発明の実施形態について説明したが、以下の通りその形態を種々設計変更することができる。
防食膜及び筒状体の長手方向長さは、必要に応じて適宜設定することができる。
望ましくは、地際部のグランドレベルの少なくとも上下３０ｃｍ程度の範囲に設けるべきである。
【００４４】
防食膜の素材は、従来使用されている種々のものを使用することができる。
本発明に係る筒状体の肉厚も適宜自由に設定することができる。
更に、この筒状体を支柱に装着するに際して、種々の接着材を用いて予め支柱に接着しておくことも可能である。
【００４５】
その際には、接着材として防水性、防錆作用、更には防食性能を有するものを使用することが相応しい。
更に、本発明に係る防錆防食筒状体の内面にウレタンゴム等の滑り止め部材を接合又は配設するのも自由であり、これにより、支柱の地際部に当該筒状体を装着するに際して、かかる筒状体が支柱の長手方向に滑動したり、移動してしまうことを防止することができる。
また、本発明に係る筒状体の内表面に更に防食材を接合するのも自由である。
【００４６】
以上、本発明は、極めて簡易な構成により、地際部に防錆及び防食性能を有する各種物品を支持する架台用の防錆防食支柱及びこれに用いる防錆防食筒状体を提供することが出来たものである。
【符号の説明】
【００４７】
１０  支柱
１２  防食膜
１５、２５、３５  筒状体
１６、２６  切断面
１６ａ、１６ｂ、２６ａ、２６ｂ、３６ａ、３６ｂ  切断縁部
２７  防食材
Ｇ  グランドレベル
【図１】
2014156736.tif 000003
【図２】
2014156736.tif 000004